(57)【特許請求の範囲】
【請求項１】
機体内に設けられ、前面に商品を装填するための開口部を有する商品収納枠を複数並べて形成した商品収納枠列と、
前記商品収納枠列の前面に沿って形成した第１，第２の案内部材と、
前記第１の案内部材に沿ってスライドする第１のスライド開閉板と、
前記第２の案内部材に沿ってスライドする第２のスライド開閉板とを備え、
前記第１，第２のスライド開閉板のスライド位置を調整することにより、前記商品収納枠の開口部を開閉するようにしたことを特徴とする自動販売機の商品収納装置。
【請求項２】
機体内に設けられ、前面に商品を装填するための開口部を有する第１，第２の商品収納枠を交互に複数並べて形成した商品収納枠列と、
前記商品収納枠列の前面に沿って形成した第１，第２の案内部材と、
前記第１の案内部材に沿ってスライドするとともに、該スライド方向に延在する第１の長孔を有する第１のスライド開閉板と、
前記第２の案内部材に沿ってスライドするとともに、該スライド方向に延在する第２の長孔を有する第２のスライド開閉板と、
前記各長孔に係合し、該各長孔を案内として各スライド開閉板のスライド量を規制するスライド規制部材とを備え、
前記スライド規制部材が前記各長孔の一端または他端に当接する状態の組合せをもって、前記第１の商品収納枠の開口部のみを全て開放する状態、前記第２の商品収納枠の開口部のみを全て開放する状態、または各商品収納枠の開口部を一部閉塞する状態のいずれかを形成するようにしたことを特徴とする自動販売機の商品収納装置。
【発明の詳細な説明】
【０００１】
【発明の属する技術分野】
本発明は、自動販売機の商品収納装置に関し、特に、機体内に設けられた複数の商品収納枠の開口部を、一度に開閉することができる自動販売機の商品収納装置に関する。
【０００２】
【従来の技術】
図１に示すように、従来の自動販売機１は、その機体２の前面に扉３を備えており、この扉３は、機体２に上下一対のヒンジ９を介して開閉自在に取り付けられている。機体２内には、多数の商品収納枠列が形成されており、これらの商品収納枠列は機体２内に上下複数段にして配置されており、このように扉３を開いた状態では、機体２の前面に開口部が形成される。
【０００３】
具体的には、自動販売機１の略中央から上側部分の商品収納枠列４ａ，４ｂ，４ｃ，４ｄと下側部分の商品収納枠列４ｅ，４ｆとに分けて配置されている。
商品収納枠列には、機体２の上部右側部分に配置された第１種商品収納枠列４ａと、上部左側部分に上下２段にして配置された第２種商品収納枠列４ｂと、中央部分に位置した第１種商品収納枠列４ｃと、この第１種商品収納枠列４ｃの上部中央部に確保された空間に配置された第２種商品収納枠列４ｄとが含まれている。
【０００４】
なお、中央部分より下側には、上下２段にして商品収納枠列４ｅ，４ｆが配置されており、この商品収納枠列４ｅ，４ｆは、第２種商品収納枠列４ｂと同様なタイプのものである。商品収納枠列は、前面に開口部３１を備えた個々の商品収納枠３２を水平方向に隣接させ、その底面を商品搬出装置３３の上面によって構成されている。商品搬出装置３３の上面には、たばこ、箱詰めされた菓子などの商品Ｔが前後２列に収納されており、商品収納枠３２の奥行きは商品Ｔを前後２列に収納可能なだけの大きさに形成されている。
【０００５】
第１種商品収納枠列４ａ，４ｃの商品収納枠３２は、各商品収納枠３２の開口部３１を開閉するガイドロッド３４を備えている。このガイドロッド３４は、商品収納枠３２の開口部３１の中央を上下方向に延びて配置されており、その上下端は水平方向に一旦屈曲された後、商品収納枠３２に回動自在に支持されている。従って、ガイドロッド３４をその上下端を中心として、図１において右向きに回動させれば、商品収納枠３２の開口部３１を大きく開くことができる。
そして、機体２の扉３を開放した状態で、この機体２の開口部２１を通じて、開口部３１を開けた状態の商品収納枠３２内へ、商品Ｔの装填又は補充を行うことができる。
【０００６】
一方、第１種商品収納枠列４ｂ，４ｄ，４ｅ，４ｆの商品収納枠３２は、各商品収納枠３２の開口部３１を一度に開閉することができる一括ガイドを備えている。具体的には、この一括ガイドは商品収納枠列の両端部に回動自在に設けられており、この一括ガイドを一方の回動端まで回動させることで、商品収納枠列を構成する各商品収納枠３２の開口部３１を一度に開放することができる。この状態で商品収納枠３２に商品Ｔを補充または装填することができる。そして、一括ガイドを他方の回動端まで回動させ、各商品収納枠３２の開口部３１を一度に閉塞することで、販売待機状態とすることができる。
【０００７】
ドア３の機体２側には、第１種商品収納枠列４ａ，４ｃ、第２種商品収納枠列４ｂ，４ｄ，４ｅ，４ｆにそれぞれ対応して、払出シュート３５，３６，３７，３８，３９，４０が設けられている。
したがって、消費者が、図示しないドア３の前面に設けられた、商品見本に対応した商品選択ボタンを押すと、選択された商品Ｔを収容した商品収納枠３２の商品搬出装置３３が、商品Ｔの払出しを実行する。商品収納枠３２から排出された商品Ｔは、ドア３に設けられた払出シュート３５，３６，３７，３８，３９，４０を介して、ドア３の前面に設けられた図示しない商品取出口へと送り出される。
【０００８】
ところで、自動販売機内には可能な限り数多くの商品を収納することが要望されているが、機体２側には上下にわたり複数の商品収納枠列が設けられており、従来の自動販売機１の機体２内に、新たに商品収納枠列を設置するスペースを設けることは難しい。一方、扉３には、各商品収納枠列に対応して払出シュートが設けられているが、扉３の上部には僅かな、いわゆるデッドスペースが存在する。
そこで、図２に示すように、扉３の裏板５１に新たに商品収納枠列５を設けることで、自動販売機１内に収納することができる商品Ｔの数を増加させている。
【０００９】
この商品収納枠列５は、裏板５１に固定された背面板５２と、この背面板５２の両端を折り曲げて形成された一対の側面板５３ａ，５３ｂとからなり、側面板５３ａ，５３ｂの先端は、更に背面板５２と平行な方向に折り返されれている。そして、この折り返し部分が屈曲部５４ａ，５４ｂを形成している。
側面板５３ａと５３ｂの間には、背面板５２と平行に配置された固定板５５が配置されており、この固定板５５の両端は、それぞれ側面板５３ａ，５３ｂに固定されている。そして、この固定板５５の前面には、所定の間隔を空けて仕切板５６が側面板５３ａ，５３ｂと平行な方向に突設されており、この仕切板５６の前端には、前面固定板５７が背面板５２と平行な方向に固着されている。
【００１０】
従って、商品収納枠列５の前部は、屈曲部５４ａ，５４ｂ、一対の側面板５３ａ，５３ｂ、仕切板５６、固定板５５および前面固定板５７により囲まれた商品収納枠５８を形成しており、商品収納枠列５の後部は、一対の側面板５３ａ，５３ｂ、背面板５２および固定板５５により囲まれた商品搬出路５９を形成している。そして、この商品搬出路５９は、払出シュート３５の開口部３５ａに通じている。
【００１１】
商品収納枠列５の各商品収納枠５８の下部は、底板６０により塞がれており、この底板６０の上面には各商品収納枠５８に対応して商品搬出装置６１が設けられている。各商品収納枠５８の商品搬出装置６１上には、商品Ｔが積み上げられて収納されており、商品Ｔはこの商品搬出装置６１により手前側から奥側へ一つづつ送り出される。そして、固定板５５の底板６０側に設けられた商品送出口５５ａから商品搬出路５９へ送られ、商品Ｔは商品搬出路５９から払出シュート３５の開口部３５ａへと送られる。
【００１２】
屈曲部５４ａ，５４ｂと前面固定板５７の間および各固定板５７の間には、前面開口部６２が形成されており、この前面開口部６２により、各商品収納枠５８内に収納された商品Ｔの残量を確認することができる。
なお、商品Ｔの補充または装填は、商品収納枠列５の上部に形成された上面開口部６３から行われる。
【００１３】
【発明が解決しようとする課題】
上述した従来の自動販売機１では、商品収納枠５８内に商品Ｔを新たに補充または装填する際には、上面開口部６３から作業を行う必要があった。
ここで、従来の商品収納枠列５は、比較的設置スペースを容易に確保可能な扉３の裏板５１の上部に設けられていた。このため、上面開口部６３に商品Ｔを補充または装填する作業は、女性や老人などの背の低い作業者にとっては不便であり、このような作業者により補充または装填作業を行う際には脚立を用意したり、背の高い作業者に作業を代わってもらう必要があった。
【００１４】
また、自動販売機１内には、短時間に売り切れてしまう商品と、比較的消費の少ない商品とが混在して収納されている。ここで、短時間に売り切れてしまう商品については、頻繁に商品収納枠５８内に商品Ｔを補充または装填する必要があり、その一方で消費の少ない商品については、商品収納枠５８内に商品Ｔを補充または装填する頻度は比較的少ない。
【００１５】
しかしながら、従来の自動販売機１の第２種商品収納枠列４ｂ，４ｄ，４ｅ，４ｆについては、構造上一括ガイドを回動させることで、全ての商品収納枠３２の開口部３１を開放し、商品収納枠列を構成する商品収納枠３２に商品Ｔを補充、装填する必要があった。このために、消費の多い商品Ｔが収納された商品収納枠５８だけでなく、消費の少ない商品Ｔが収納された商品収納枠５８の開口部３１も開放する必要があり、補充または装填作業を行う者にとっては負担となっていた。
【００１６】
本発明はこのような従来技術の課題を解決するためになされたもので、第１に、商品収納枠内に商品を容易に補充、装填することができる自動販売機の商品収納装置を提供することを目的とする。第２に、消費の多い商品が収納された商品収納枠のみに商品を簡単な操作により補充、装填することができる自動販売機の商品収納装置を提供することを目的とする。
【００１７】
【課題を解決するための手段】
上記目的を達成するために、本発明に係る自動販売機の商品収納装置は、機体内に設けられ、前面に商品を装填するための開口部を有する商品収納枠を複数並べて形成した商品収納枠列と、前記商品収納枠列の前面に沿って形成した第１，第２の案内部材と、前記第１の案内部材に沿ってスライドする第１のスライド開閉板と、前記第２の案内部材に沿ってスライドする第２のスライド開閉板とを備え、前記第１，第２のスライド開閉板のスライド位置を調整することにより、前記商品収納枠の開口部を開閉するようにしたことを特徴とする。
【００１８】
請求項２の発明にあっては、機体内に設けられ、前面に商品を装填するための開口部を有する第１，第２の商品収納枠を交互に複数並べて形成した商品収納枠列と、前記商品収納枠列の前面に沿って形成した第１，第２の案内部材と、前記第１の案内部材に沿ってスライドするとともに、該スライド方向に延在する第１の長孔を有する第１のスライド開閉板と、前記第２の案内部材に沿ってスライドするとともに、該スライド方向に延在する第２の長孔を有する第２のスライド開閉板と、前記各長孔に係合し、該各長孔を案内として各スライド開閉板のスライド量を規制するスライド規制部材とを備え、前記スライド規制部材が前記各長孔の一端または他端に当接する状態の組合せをもって、前記第１の商品収納枠の開口部のみを全て開放する状態、前記第２の商品収納枠の開口部のみを全て開放する状態、または各商品収納枠の開口部を一部閉塞する状態のいずれかを形成するようにしたことを特徴とする。
【００１９】
上記構成の本発明は、商品収納枠を複数並べて形成した商品収納枠列の前面に、第１の案内部材と第２の案内部材とが設けられている。この第１の案内部材と第２の案内部材とには、それぞれ第１のスライド開閉板と第２のスライド開閉板とがスライド自在に配置されている。そして、この第１のスライド開閉板と第２のスライド開閉板とのスライド位置を調整することで、商品を装填するために商品収納枠の前面に設けられた開口部を開閉可能としている。
【００２０】
また、第１の商品収納枠と第２の商品収納枠とを交互に複数並べることで、商品収納枠列を形成するとともに、第１のスライド開閉板と第２のスライド開閉板とに、それぞれこのスライド開閉板のスライド方向に延在して、第１の長孔と第２の長孔とを形成している。そして、この第１の長孔と第２の長孔とは、スライド規制部材により案内され、このスライド規制部材は第１の長孔と第２の長孔とに係合している。
【００２１】
したがって、スライド規制部材を各スライド開閉板に形成された第１の長孔と第２の長孔の一端または他端と当接させ、この当接状態を組み合わせることで、第１の商品収納枠の開口部のみを開放する状態、第２の商品収納枠の開口部のみを開放する状態または各商品収納枠の開口部の一部を閉塞する状態のいずれかの状態を形成することができる。
【００２２】
【発明の実施の形態】
以下、本発明の一実施形態について図面を参照して説明する。
なお、図３から図５において、先に示した図２と同一部分には同一符号を付し、その部分の詳細な説明は省略する。
図３から図５に示すように、商品収納枠列５の前部は、一対の側面板５３ａ，５３ｂ、仕切板５６および固定板５５により囲まれた商品収納枠５８を形成しており、商品収納枠列５の上面は、この商品収納枠列５に固定された天板６３により覆われている。各商品収納枠５８は同一構造であり、商品収納枠列５は、第１の商品収納枠５８ａと第２の商品収納枠５８ｂとを交互に並べることで形成されている。なお、各商品収納枠５８の前面には商品Ｔを装填または補充するための開口部６４が形成されている。
【００２３】
天板６３の下面には、商品収納枠列５の前面に沿って、支持板６５の長手方向の一端が固着されており、天板６３の下面と支持板６５の上面との間には、所定の間隔が形成されている。そして、この支持板６５と天板６３との間には、この支持板６５上をスライド自在に第１のスライド開閉板６６が配置されている。
ここで、商品収納枠列５の前面に沿って形成された支持板６５は、第１のスライド開閉板６６のスライドを案内する第１の案内部材を構成している。
【００２４】
第１のスライド開閉板６６と天板６５との間には、この第１のスライド開閉板６６上をスライド自在に第２のスライド開閉板６７が配置されている。したがって、商品収納枠列５の前面に沿って配置された第１のスライド開閉板６６が、第２のスライド開閉板６７のスライドを案内する第２の案内部材を構成している。図６に示すように、第１のスライド開閉板６６の上縁は、商品収納枠列５側に折り曲げられた屈曲部６６ａを備えており、この屈曲部６６ａにはこの第１のスライド開閉板６６がスライドする方向に、所定の長さの第１の長孔６６ｂが形成されている。なお、この長孔６６ｂは、屈曲部６６ａに２つ設けられており、図３から図５においては１つの長孔６６ｂのみを示している。
【００２５】
一方、第２のスライド開閉板６７の上縁も、商品収納枠列５側に折り曲げられた屈曲部６７ａを備えており、この屈曲部６７ａにはこの第２のスライド開閉板６７がスライドする方向に、第１の長孔６６ｂと同一長さの第２の長孔６７ｂが形成されている。なお、この長孔６７ｂは、屈曲部６７ａに２つ設けられており、図３から図５においては１つの長孔６７ｂのみを示している。
【００２６】
なお、長孔６６ｂと長孔６７ｂには、支持板６５の上面から突出して設けられた、軸状の上側スライド規制部材６５ａが係合している。そして、第１のスライド開閉板６６と第２のスライド開閉板６７は、この長孔６６ｂと長孔６７ｂに係合する上側スライド規制部材６５ａをガイドしつつ、スライド自在に配置されている。
【００２７】
長孔６６ｂと長孔６７ｂとは同一構造であり、以下長孔６６ｂを例に詳細に説明すると、図７に示すように長孔６６ｂは、上側スライド規制部材６５ａが移動可能な程度の大きさに形成されている。そして、第１のスライド開閉板６６のスライド量は、長孔６６ｂの一端６６ｃと他端６６ｄとの距離により定められている。
【００２８】
即ち、上側スライド規制部材６５ａが、長孔６６ｂと長孔６７ｂの略中央に位置づけられている場合には、図３に示すように、第１のスライド開閉板６６と第２のスライド開閉板６７が、第１の商品収納枠５８ａの開口部６４と第２の商品収納枠５８ｂの開口部６４の一部を閉塞する。このように、開口部６４の一部のみが閉塞されるので、商品Ｔが商品収納枠５８から脱落するのを確実に防止するとともに、各商品収納枠５８に収納された商品Ｔの残量を容易に確認することができるようになっている。
【００２９】
第１のスライド開閉板６６と第２のスライド開閉板６７とを互いに逆方向にスライドさせると、上側スライド規制部材６５ａは、長孔６６ｂの他端６６ｄと長孔６７ｂの一端６７ｃに当接する。そして、図４に示すように、第１の商品収納枠５８ａの開口部６４が開放され、第１のスライド開閉板６６と第２のスライド開閉板６７とにより、第２の商品収納枠５８ｂが閉塞される。
【００３０】
一方、第１のスライド開閉板６６と第２のスライド開閉板６７とを再度互いに逆方向にスライドさせると、上側スライド規制部材６５ａは、長孔６６ｂの一端６６ｃと長孔６７ｂの他端６７ｄに当接する。そして、図５に示すように、第２の商品収納枠５８ｂが開放され、第１のスライド開閉板６６と第２のスライド開閉板６７とにより、第１の商品収納枠５８ａの開口部６４が閉塞される。
【００３１】
なお、第１のスライド開閉板６６と第２のスライド開閉板６７の前面には、それぞれ開口部６６ｅ，６７ｅが形成されており、この開口部６６ｅ，６７ｅを通じて商品収納枠５８内に商品Ｔを補充または装填することができる。第１のスライド開閉板６６と第２のスライド開閉板６７の下方は、それぞれ一旦前方に折り曲げられたあと再び折り返され、この第１のスライド開閉板６６と第２のスライド開閉板６７の下端には、それぞれ支持面６８ａ，６９ａが形成されている。そして、この支持面６８ａ，６９ａは、屈曲部６６ａ，６７ａにそれぞれ形成された長孔６６ｂ，６７ｂと同一形状の、長孔６８ｂ，６９ｂを備えている。
【００３２】
具体的には、長孔６８ｂ，６９ｂは、第１のスライド開閉板６６および第２のスライド開閉板６７がスライドする方向に、第１の長孔６６ｂおよび第２の長孔６７ｂと同一長さにて形成されている。なお、この長孔６８ｂ，６９ｂは、支持面６８，６９にそれぞれ２つづつ設けられており、長孔６８ｂと長孔６９ｂとは同一構造である。
【００３３】
図６に示すように、底板６０の先端は折り曲げられており、この屈曲部が支持面６０ａを形成している。そして、この支持面６０ａの前面には、前方に向けて軸状の下側規制部材６０ｂが突出して設けられている。
なお、この下側規制部材６０ｂは、支持面６０ａにねじ込まれたビス、ボルトなどにより構成することができる。
【００３４】
下側規制部材６０ｂは、長孔６８ｂと長孔６９ｂに係合しており、第１のスライド開閉板６６の支持面６８ａと第２のスライド開閉板６７の支持面６９ｂは、この長孔６８ａと長孔６９ａに係合する下側スライド規制部材６０ｂをガイドしつつ、スライド自在に配置されている。
即ち、支持面６８ａは、支持面６０ａに対してスライド自在に配置されており、この支持面６０ａが第１の案内部材を構成している。そして、支持面６９ａは、支持面６８ａに対してスライド自在に配置されており、この支持面６８ａが第２の案内部材を構成している。
【００３５】
以下長孔６８ｂを例に詳細に説明すると、図８に示すように長孔６８ｂは、下側スライド規制部材６０ｂが移動可能な程度の大きさに形成されている。そして、第１のスライド開閉板６６のスライド量は、長孔６８ｂの一端６８ｃと他端６８ｄとの距離により定められている。
即ち、下側スライド規制部材６０ｂが、長孔６８ｂと長孔６９ｂの略中央に位置づけられている場合には、図３に示すように、第１のスライド開閉板６６と第２のスライド開閉板６７が、第１の商品収納枠５８ａの開口部６４と第２の商品収納枠５８ｂの開口部６４の一部を閉塞する。
【００３６】
また、第１のスライド開閉板６８と第２のスライド開閉板６９とを互いに逆方向にスライドさせると、下側スライド規制部材６０ｂは、長孔６８ｂの他端６８ｄと長孔６９ｂの一端６９ｃに当接する。そして、図４に示すように、第１の商品収納枠５８ａの開口部６４が開放され、第１のスライド開閉板６６と第２のスライド開閉板６７とにより、第２の商品収納枠５８ｂが閉塞される。
【００３７】
一方、第１のスライド開閉板６８と第２のスライド開閉板６９とを再度互いに逆方向にスライドさせると、下側スライド規制部材６０ｂは、長孔６８ｂの一端６８ｃと長孔６９ｂの他端６９ｄに当接する。そして、図５に示すように、第１のスライド開閉板６６と第２のスライド開閉板６７とにより、第１の商品収納枠５８ａの開口部６４が閉塞され、第２の商品収納枠５８ｂが開放される。
【００３８】
なお、長孔６８ｂ，６９ｂには図８に示すように、それぞれ係合部６８ｅ，６９ｅを形成することができる。このように係合部６８ｅ，６９ｅを形成すると、第１のスライド開閉板６６と第２のスライド開閉板６７のそれぞれの自重により、下側スライド規制部材６０ｂは、長孔６８ｂ，６９ｂの中間位置、一端６８ｃ，６９ｃおよび他端６８ｄ，６９ｄにおいて確実に係合部６８ｅ，６９ｅと係合する。したがって、不用意に第１のスライド開閉板６６と第２のスライド開閉板６７とがスライドするのを確実に防止することができる。
【００３９】
なお、下側スライド規制部材６０ｂと係合部６８ｅ，６９ｅとの係合を解除する際には、第１のスライド開閉板６６と第２のスライド開閉板６７とをそれぞれ上方に持ち上げるようにしてスライドさせることで、係合を簡単に解除することができる。
各商品収納枠５８の底板６０には商品搬出装置６１が設けられており、商品Ｔはこの商品搬出装置６１上に図６に示すように積み上げられて収納されている。
【００４０】
商品搬出装置６１の詳細な構造の説明は省略するが、商品搬出装置６１は、図６において一点鎖線により示したような第１プッシャー６１ａ、第２プッシャー６１ｂおよび売切れ確認レバー６１ｃとを備えている。この第１プッシャー６１ａと第２プッシャー６１ｂとは図示しない電動モータにより駆動可能であり、消費者が扉１の前面に設けられた商品選択ボタンを押すと、希望の商品が収納された商品収納枠５８の商品搬出装置６１の電動モータが駆動され、第１プッシャー６１ａと第２プッシャー６１ｂとを矢印方向に回転させる。
【００４１】
ここで、商品Ｔ１と商品Ｔ２とを例にして説明すると、先ず、第１プッシャー６１ａに形成された押出爪６１ｄが、商品搬出装置６１上に載置された商品Ｔ１の背面Ｔｒが押す。そして、この第１プッシャー６１ａが、商品Ｔ１を半工程分、即ち、商品Ｔ１を約半分だけ商品送出口５５ａから突出させる。
その後、第２プッシャー６１ｂに形成された押出爪６１ｅが、第１プッシャー６１ａの押出爪６１ｄにより押し出された商品Ｔ１の背面Ｔｒを更に押し、固定板５５の底板６０側に形成された商品送出口５５ａから商品搬出路５９へと商品Ｔ１を送り出す。
【００４２】
このように、商品収納枠５８内の最下層の商品Ｔが、商品送出口５５ａから一つづつ商品搬出路５９に送り出される。そして、この商品Ｔ１は払出シュート３５を通じて、同じく扉３の前面に設けられた商品受取口へと送られ、消費者はこの商品受取口から希望の商品を入手することができる。一方、商品Ｔ１の上に積み上げられていた商品Ｔ２は、商品１個分だけ下方に移動し、搬出前の商品Ｔ１の位置、即ち、商品搬出装置６１上に位置づけられて最下層の商品Ｔ２となる。
【００４３】
なお、売切れ確認レバー６１ｃは、商品搬出装置６１から突出する方向に常時付勢されているが、商品搬出装置６１上に商品Ｔが積み上げられている際には、商品Ｔの自重により商品搬出装置６１内に没している。商品収納枠５８内の最後の商品Ｔが、商品搬出装置６１により排出されると、この売切れ確認レバー６１ｃが付勢力により商品搬出装置６１から突出し、商品搬出装置６１内に設けられたスイッチをＯＮ動作する。そして、扉３の前面に設けられた商品選択スイッチの近傍に設けられた表示板に「売り切れ」の表示をする。
【００４４】
次に、上述した自動販売機の商品収納装置の動作、作用を説明する。
図９に示すように、通常の販売待機状態においては、第１の商品収納枠５８ａの開口部６２の一部と第２の商品収納枠５８ｂの開口部６２の一部は、第１のスライド開閉板６６と第２のスライド開閉板６７とにより閉塞されている。
即ち、上側スライド規制部材６５ａが、長孔６６ｂと長孔６７ｂの略中央に位置づけられている場合には、第１のスライド開閉板６６と第２のスライド開閉板６７は、第１の商品収納枠５８ａの開口部６４と第２の商品収納枠５８ｂの開口部６４の一部を閉塞している。したがって、この状態においては、各商品収納枠５８の開口部６２から商品Ｔが脱落することはない。
【００４５】
商品Ｔを商品収納枠５８に補充または装填する際には、図９の状態において、第１のスライド開閉板６６と第２のスライド開閉板６７とを矢印方向にスライドさせる。
ここで、第１のスライド開閉板６６には、長孔６６ｂ，６７ｂが形成されており、第２のスライド開閉板６７には、長孔６７ａ，６９ａが形成されている。そして、各長孔６６ｂ，６７ｂおよび６７ａ，６９ａには、それぞれ上側スライド規制部材６５ａおよび下側スライド規制部材６０ｂが係合している。
【００４６】
したがって、上側スライド規制部材６５ａが、第１のスライド開閉板６５のスライドにより、長孔６６ｂの他端６６ｄに位置づけられるとともに、第２のスライド開閉板６７のスライドにより、長孔６７ｂの一端６７ｃに位置づけられる。そして、図１０に示すように、第１の商品収納枠５８ａの開口部６４が開放され、第１のスライド開閉板６６と第２のスライド開閉板６７とにより、第２の商品収納枠５８ｂが閉塞される。
【００４７】
この状態において、作業者は、先ず開口部６４が開放された第１の商品収納枠５８ａに、第１のスライド開閉板６６の開口部６６ｅおよび第２のスライド開閉板６７の開口部６７ｅから商品Ｔを補充または装填することができる。補充、装填が終了した後は、第１のスライド開閉板６６と第２のスライド開閉板６７とを、図９に示す矢印方向とは逆方向にスライドさせる。そして、第１のスライド開閉板６６と第２のスライド開閉板６７とにより、第１の商品収納枠５８ａの開口部６４と第２の商品収納枠５８ｂの開口部６４の一部を閉塞し、自動販売機を販売待機の状態とする。
【００４８】
一方、図１０に示す状態で、第１の商品収納枠５８ａに商品Ｔを補充、装填した後、第２の商品収納枠５８ｂに商品Ｔを補充、装填する場合には、図１０の矢印方向に第１のスライド開閉板６６と第２のスライド開閉板６７とをスライドさせる。これにより、上側スライド規制部材６５ａは、第１のスライド開閉板６５のスライドにより、長孔６６ｂの一端６６ｃに位置づけられるとともに、第２のスライド開閉板６６のスライドにより、長孔６７ｂの他端６７ｄに位置づけられる。そして、図１１に示すように、第２の商品収納枠５８ｂの開口部６４が開放され、第１のスライド開閉板６６と第２のスライド開閉板６７とにより、第１の商品収納枠５８ａが閉塞される。
【００４９】
この状態において、作業者は、開口部６４が開放された第２の商品収納枠５８ｂに、第１のスライド開閉板６６の開口部６６ｅおよび第２のスライド開閉板６７の開口部６７ｅから商品Ｔを補充または装填することができる。補充、装填が終了した後は、第１のスライド開閉板６６と第２のスライド開閉板６７とを、図１１に示す矢印方向にスライドさせる。そして、第１のスライド開閉板６６と第２のスライド開閉板６７とにより、第１の商品収納枠５８ａの開口部６４と第２の商品収納枠５８ｂの開口部６４の一部を閉塞し、自動販売機を販売待機の状態とする。
【００５０】
なお、上述した動作、作用の説明では、最初に第１の商品収納枠５８ａを開放し、商品Ｔの補充、装填を行った後に、第２の商品収納枠列５８ｂを開放し、商品Ｔの補充、装填を行っているが、先に第２の商品収納枠列５８ｂを開放し、次いで第１の商品収納枠５８ａを開放する動作順序とすることも可能である。
【００５１】
また、上述した動作、作用の説明では、上側スライド規制部材６５ａと長孔６６ｂ，６７ｂとの位置関係をもとに説明したが、この上側スライド規制部材６５ａを下側スライド規制部材６０ｂに対応させ、長孔６６ｂ，６７ｂをそれぞれ長孔６８ｂ，６９ｂに対応させて説明しても、両者の位置関係は同じである。
さらに、第１の商品収納枠５８ａに消費数の多い商品Ｔを収納し、第２の商品収納枠５８ｂに消費数の少ない商品Ｔを収納しておけば、補充、装填機会の多い第１の商品収納枠５８ａの開口部６４のみを一度に開閉し、商品Ｔの補充、装填を行うことができる。
【００５２】
なお、本発明は上述した実施形態に限定されるものではなく、要旨を変更しない範囲で種々の変形または応用が可能である。例えば、本実施形態では、商品収納枠列５を扉３側に設けているが、機体２側に設置することもできる。
また、第１のスライド開閉板６６と第２のスライド開閉板６７には、それぞれ下側に長孔６８ｂと長孔６９ｂのみを設け、上側の長孔６６ｂ，６７ｂを省略した構造としてもよい。
さらに、上述した実施形態では商品収納枠５８内に商品Ｔを１列で積み上げた場合を説明したが、商品収納枠５８の構造を前後１列に商品Ｔを積み上げる構造とすることもできる。
【００５３】
【発明の効果】
以上説明したように、請求項１の自動販売機の商品収納装置によれば、商品収納枠を複数並べて形成した商品収納枠列の前面に、第１の案内部材と第２の案内部材とを設け、この第１の案内部材と第２の案内部材とに、それぞれスライド自在に第１のスライド開閉板と第２のスライド開閉板とを配置した。したがって、第１のスライド開閉板と第２のスライド開閉板とのスライド位置を調整するだけで、商品を装填するために商品収納枠の前面に設けられた開口部を簡単に開閉可能とすることができる。
【００５４】
また、請求項２記載の発明では、商品収納枠列を第１の商品収納枠と第２の商品収納枠とを交互に複数ならべて形成するとともに、第１のスライド開閉板と第２のスライド開閉板とには、それぞれこのスライド開閉板のスライド方向に延在して、第１の長孔と第２の長孔とを形成している。この第１の長孔と第２の長孔とは、スライド規制部材により案内され、このスライド規制部材は第１の長孔と第２の長孔とに係合している。したがって、スライド規制部材を各スライド開閉板に形成された第１の長孔と第２の長孔の一端または他端と当接させ、この当接状態を組み合わせるだけで、第１の商品収納枠の開口部のみを開放する状態、第２の商品収納枠の開口部のみを開放する状態または各商品収納枠の開口部の一部を閉塞する状態のいずれかの状態を簡単に形成することができる。
【図面の簡単な説明】
【図１】従来の自動販売機のドアを開いた状態を概略的に示した斜視図である。
【図２】従来の自動販売機の商品収納装置を概略的に示した斜視図である。
【図３】本発明の実施形態に係る自動販売機の商品収納装置により各商品収納枠の開口部を一部閉塞した状態を概略的に示した斜視図である。
【図４】同装置により第１の商品収納枠の開口部を開放した状態を概略的に示した斜視図である。
【図５】同装置により第２の商品収納枠の開口部を開放した状態を概略的に示した斜視図である。
【図６】同装置の概略断面図である。
【図７】同装置の上側スライド規制部材と長孔との係合状態を概略的に示した図である。
【図８】同装置の下側スライド規制部材と長孔との係合状態を概略的に示した図である。
【図９】同装置により各商品収納枠の開口部を一部閉塞した状態を概略的に示した平面図である。
【図１０】同装置により第１の商品収納枠の開口部を開放した状態を概略的に示した平面図である。
【図１１】同装置により第２の商品収納枠の開口部を開放した状態を概略的に示した平面図である。
【符号の説明】
２  機体
３  ドア
５  商品収納枠列
５８  商品収納枠
５８ａ  第１の商品収納枠
５８ｂ  第２の商品収納枠
６０ａ  支持面（第１の案内部材）
６０ｂ  下側スライド規制部材
６１  商品搬出装置
６４  開口部
６５  支持板（第１の案内部材）
６５ａ  上側スライド規制部材
６６  第１のスライド開閉板（第２の案内部材）
６６ｂ  長孔
６７  第２のスライド開閉板
６７ｂ  長孔
６８ａ  支持面（第２の案内部材）
６８ｂ  長孔
６９ａ  支持面
６９ｂ  長孔
【図１】
0003542218.tif 000002
【図２】
0003542218.tif 000003
【図３】
0003542218.tif 000004
【図４】
0003542218.tif 000005
【図５】
0003542218.tif 000006
【図６】
0003542218.tif 000007
【図７】
0003542218.tif 000008
【図８】
0003542218.tif 000009
【図９】
0003542218.tif 000010
【図１０】
0003542218.tif 000011
【図１１】
0003542218.tif 000012